(57)【要約】  本発明は、ウエブの転向のためのローラ（１０）に関する。ローラ（１）は、圧力センサー（１０）はベース部材（２０）を有し、ベース部材に少なくとも１つのセンサー要素（２５）を支持してある。センサー要素（２５）は、軸受力（３）によって弾性変形可能な少なくとも１つのプレート（４０）を有し、プレートは、少なくとも１つの受圧部（４２）を備え、この場合にセンサー要素（２５）は加圧片（２９）によって負荷され、圧力片に軸受力（３）は少なくとも１つのばね（３２）を介して導入される。該ばねは、圧力作用方向で見て、同一の負荷に際して、弾性変形可能なプレート（４０）よりも大きなばね行程距離を有し、センサー要素に対する圧力作用の制限のために、環状のストッパー（３５）を設けてあり、該ストッパーを加圧片（２９）は環状のストッパー（３５）を平面で押圧するようになっている。ストッパー（３５）はセンサー要素（２５）の回りに配置されている。
2010511854.tif 000002
【特許請求の範囲】
【請求項１】
ウエブ（２）を転向するためのローラであって、該ローラ（１）は、プレート（７）に支えられており、該プレートは前記ローラ（１）の軸受力（３）の測定のために圧力センサー（１０）に接続されており、該圧力センサーはベース部材（２０）を有しており、該ベース部材に少なくとも１つのセンサー要素（２５）を設けてあり、該センサー要素は、前記軸受力（３）によって弾性的に変形可能な少なくとも１つのプレート（４０）を有している形式のものにおいて、前記ローラ（１）を支える前記プレート（７）は、旋回軸受（８）を中心として旋回可能に保持されており、前記旋回軸受は不動のプレート（９）に支持されおり、該不動のプレート（９）と前記旋回可能なプレート（７）との間に前記圧力センサー（１０）を設けてあり、前記弾性変形可能なプレート（４０）は、少なくとも１つの受圧部（４２）を備えており、かつ前記センサー要素（２５）は加圧片（２９）によって負荷されるようになっており、前記軸受力（３）は少なくとも１つのばね（３２）を介して前記加圧片（２９）に伝達されるようになっており、前記ばね（３２）は、圧力作用方向で見て、同一の負荷に際して、前記弾性変形可能なプレート（４０）よりも大きなばね行程距離を有しており、前記センサー要素（２５）に対する圧力作用の制限のために、前記加圧片（２９）は環状のストッパー（３５）を平面で押圧するようになっており、前記ストッパーは前記センサー要素（２５）の周囲に配置されていることを特徴とする、圧力センサーを備えたローラ。
【請求項２】
前記ストッパー（３５）は、ベース部材（２０）上にルーズに載置されている請求項１に記載のローラ。
【請求項３】
前記ストッパー（３５）は、高さ調節のために互いに積み重ね可能な複数の部分（３６）から成っている請求項１又は２に記載のローラ。
【請求項４】
前記ストッパー（３５）は硬化された鋼から成っている請求項１から３のいずれか１項に記載のローラ。
【請求項５】
前記ストッパー（３５）に対して並列に別の少なくとも１つのばね（３９）を設けてある請求項１から４のいずれか１項に記載のローラ。
【請求項６】
前記軸受力（３）は少なくとも１つのばね（３２）を介して前記加圧片（２９）に伝達されるようになっており、前記ばね（３２）は、力作用方向で見て、同一の負荷に際して、前記弾性変形可能なプレート（４０）よりも大きなばね行程距離を有しており、前記受圧部（４２）に対する力作用の制限のために、該受圧部と前記弾性変形可能なプレート（４０）との間に少なくとも１つのばね部材（４３）を設けてある請求項１から５のいずれか１項に記載のローラ。
【請求項７】
前記ばね部材（４３）は、ゴム質の構成部分によって形成されている請求項６に記載のローラ。
【請求項８】
前記ばね部材（４３）は、ダイヤフラム（４３）によって形成されており、該ダイヤフラムは前記弾性変形可能なプレート（４０）及び前記受圧部（４２）と面結合されている請求項６又は７に記載のローラ。
【請求項９】
前記受圧部（４２）は少なくとも１つのひずみゲージによって形成されている請求項１から８のいずれか１項に記載のローラ。
【請求項１０】
前記圧力センサー（１０）に対応して、ウエブ走行の停止のための少なくとも１つのリミットスイッチ（１１）を配置してある請求項１から９のいずれか１項に記載のローラ。
【請求項１１】
前記リミットスイッチ（１１）は前記ストッパー（３５）の領域に設けられている請求項１０に記載のローラ。
【請求項１２】
前記圧力センサー（１０）に対応して少なくとも１つの押圧ねじ（１２）を配置してあり、該押圧ねじは前記圧力センサー（１０）を負荷軽減するようになっている請求項１から１１のいずれか１項に記載のローラ。
【請求項１３】
前記ばね（３２）は、鐘形ケーシング（３１）に支えられており、該鐘形ケーシング（３１）と前記ベース部材（２０）との間に少なくとも１つの止め部材（４５）を設けてある請求項１から１２のいずれか１項に記載のローラ。
【発明の詳細な説明】
【技術分野】
【０００１】
本発明は、ウエブを転向するためのローラであって、該ローラは、プレートに支えられており、該プレートは前記ローラの軸受力の測定のために圧力センサーに接続されており、該圧力センサーはベース部材を有しており、該ベース部材に少なくとも１つのセンサー要素を設けてあり、該センサー要素は、前記軸受力によって弾性的に変形可能な少なくとも１つのプレートを有している形式のものに関する。
【０００２】
ドイツ連邦共和国特許出願公告第１０１１８８８７Ｃ１号明細書には、ウエブ（シート若しくは帯状製品）の転向のためのローラの軸受力を検出するために圧力センサーが記載されている。該圧力センサー（負荷測定センサー又は荷重測定センサー）は、ベース部材を有しており、ベース部材は、機械に固定された軸に不動に保持されていて、センサー要素と一体結合されており、センサー要素（センサーエレメント）は弾性変形可能な２つの二重式たわみアームを有している。二重式たわみアームにはそれぞれ１つの加圧片を作用させるようになっており、加圧片は測定すべき軸受力（支承力）によって負荷されるようになっている。両方の二重式たわみアームは最も強く湾曲する部分に、軸受力による二重式たわみアームの変形の検出のための受圧部を備えている。
【０００３】
米国特許出願公開第２００４／１８１３１２Ａ１号明細書には、圧力センサーを備えたロボットが記載してある。この場合に圧力センサーは変形可能な１つのプレートを有しており、プレートにセンサー要素を取り付けてある。力は加圧片及びばねを介して変形可能なプレートに導入されるようになっている。この場合にばねは、対象物の緩やかな接触を可能にするようになっている。加圧片が硬い対象物と接触すると、まずばねが圧縮され、接触力がまず小さく保たれる。対象物への接近に伴って、作用する圧力は増大して、センサーによって検出される。これによって力の制御に基づき接近速度は減速されて、所定の保持力を達成するようになっている。
【０００４】
ドイツ連邦共和国特許出願公告第９５３８４０Ｃ号明細書には、軸受力の検出のための力測定装置を備えたローラが記載されている。この場合にローラは、弾性的にたわみ変形可能なプレートに支持されていて、ローラの軸受に作用している軸受力に応じて位置をわずかに変化させる、つまりわずかに変位するようになっている。ローラ自体の位置を可動コイル装置によって測定して、軸受力を規定するようになっている。
【０００５】
本発明の課題は、冒頭に述べた形式の、圧力センサーを備えたローラを改善して、故障しにくくして、信頼性を向上させることである。
【０００６】
前記課題を解決するために本発明の構成では、ローラを支持するプレートは、旋回軸受を中心として旋回可能に保持されており、旋回軸受は不動（定位置）のプレートに支持されおり、不動のプレートと旋回可能なプレートとの間に圧力センサーを設けてあり、弾性変形可能なプレートは、少なくとも１つの受圧部を備えており、かつセンサー要素は加圧片によって負荷されるようになっており、軸受力は少なくとも１つのばねを介して加圧片に伝達されるようになっており、ばねは、力作用方向（軸受力の作用する方向）で見て、同一の負荷に際して、つまり同一の負荷を受けた状態で、弾性変形可能なプレートよりも大きなばね行程距離を有し、つまり弾性変形可能なプレートの変形量若しくは変位量よりも大きなばね行程距離（ばね圧縮量）を有しており、センサー要素に対する力作用の制限のために、加圧片は環状のストッパーを平面で押圧するようになっており、つまり加圧片は環状のストッパーに面接触するようになっており、ストッパーはセンサー要素を取り囲むようにセンサー要素の周囲に配置されている。
【０００７】
請求項１に基づくローラは、ウエブの転向のためのローラの軸受力を測定するために用いられる。ウエブは種々のシート若しくは帯状製品、例えば紙ウエブ、帯状段ボール、織物ウエブ、フェルトウエブ若しくはメッシュウエブ等である。ウエブは一貫して延びていて、若しくは環状のエンドレスウエブとして形成されていてよい。ローラの既知の重量並びにウエブによる、ローラの既知の巻掛け角度に基づきウエブの張力を算出することができ、張力の算出は種々の応用にとって、特に張力調整にとって極めて重要である。力センサーはベース部材を有しており、ベースプレートは一般的に機械に固着され、つまり定位置に配置されている。ベース部材に少なくとも１つのセンサー要素を設けてあり、センサー要素は本来の力測定を行うものである。この場合に、センサー要素がベース部材と一体に結合されているか若しくはベース部材に支持された個別の構成部分を成しているかは問題ではない。センサー要素は、測定すべき軸受力によって弾性的に変形可能な少なくとも１つのプレートを有しており、プレートは軸受力に比例して変形されるようになっている。軸受力に比例した変形は、少なくとも１つの受圧部、有利にはひずみゲージによって電気的な測定信号、つまり抵抗値変化量に変換される。軸受力をセンサー部材に導入するために、センサー要素は加圧片によって負荷されるようになっており、加圧片は測定すべき軸受力を弾性的に変形可能なプレートに伝達するようになっている。ローラによって転向されるウエブの走行中には、例えばウエブ自体の不均一性や走行の不規則に起因する著しい圧力ピークをしばしば生じている。ローラはウエブの裂断時の巻き付きに際しても高い負荷にさらされることになる。高い圧力ピークはローラの組み付け時にも発生し、それというのはローラの全重量が急激に力センサーに掛かるからである。圧力ピークは、測定される平均的な軸受力の複数倍であるものの、極めて短い時間、例えばマイクロ秒範囲でしか生じない。ローラ機構及びウエブは、短時間の圧力ピークに対して問題なく耐えられるものである。これに対してセンサー要素、特に受圧部は圧力ピークによって破損されてしまうことになる。このような圧力ピークからセンサー要素をできるだけ保護するために、測定すべき圧力は少なくとも１つのばねを介して加圧片に伝達されるようになっている。この場合にばねは、該ばねが測定すべき力の作用方向で見て同一の負荷を受けた状態で、弾性的に変形可能なプレートの変形量よりも大きなばね行程距離を有するように寸法を規定されている。したがって、ローラに対する衝撃の発生に際して、衝撃力はばねによって逃がされ、その結果、圧力ピークの最大値はセンサー要素において相応に減少されている。このような手段は、圧力測定に影響を及ぼすものではない。しかしながら、ウエブの重ね継ぎ部の通過に際して発生する極めて高い圧力ピークは、センサー要素に強い衝撃を与えて、上記手段にもかかわらずセンサー要素を破損してしまうことになる。このような理由から、センサー要素への圧力作用の制限のために、加圧片はセンサー要素のストッパーに向けて押圧されるようになっており、つまりストッパーに平面でもって当接するようになっている。これによってストッパーにおける加圧片の正確な支持を達成している。ストッパーは、加圧片の最大の移動距離を、センサー要素にとって不都合でない所定の値に制限している。これによって、軸受力の一部分はセンサー要素を迂回して、ストッパーを介してベース部材に導かれるようになっている。ストッパーの具体的な構成にとって重要なことは、ストッパーが衝撃の際の著しい衝撃エネルギーを受け止めることができるようになっていることである。ストッパーは、センサー要素の測定範囲を不都合に制限しないように正確に製造されていて、強い衝撃によって変形されないようになっている。センサー要素は、強い衝撃の後にもとの位置に再び戻るようになっている。ストッパーをセンサー要素の周囲に環状に配置してあり、該ストッパーに加圧片を平面で当接させるようにしてあることによって、加圧片の側方へのずれ若しくは傾倒をさけることができ、ずれ若しくは傾倒は加圧片の締め付けを生ぜしめてしまうものである。本発明の上記構成により、力センサーを極めて高い衝撃から最適に保護して、センサー要素の耐用年数を著しく高めてある。
【０００８】
ストッパーの大きさをそれぞれのセンサー要素に最適に合わせるために、請求項２に基づき、ストッパーは、ベース部材上にルーズに載置されている。このような構成により、ストッパーは、センサー要素の高さに合わせるために必要な高さを有する別のストッパーと極めて簡単に交換されるようになっている。
【０００９】
ストッパーをセンサー要素の種々の高さにできるだけ簡単に合わせるために、請求項３に基づき、ストッパーは、高さ調節のために互いに積み重ね可能（積層可能）な複数の部分（部品又は部材）から成っている。このような構成により、ストッパー高さは、複数の標準部品を積み木ブロックのように組み合わせて用いることに基づきセンサー要素の高さに容易に合わせられるようになっており、各センサー要素毎に固有のストッパーを製造する必要がなくなっている。
【００１０】
ストッパーが高い衝撃負荷に永続的に耐えられるようにするために、請求項４に基づき、ストッパーは硬化され若しくは焼入れされた鋼から成っている。
【００１１】
ストッパーへの加圧片の衝突を和らげ、ひいては加圧片の耐用年数を高めるために、請求項５に基づき、ストッパーに対して並列的に別の少なくとも１つのばねを付加的に設けてある。加圧片は別のばねに当接した後にストッパーに当接するようになっている。別のばねは、もちろんセンサー要素によって得られる測定結果を妨げないために、第１のばねよりも、つまりローラと加圧片との間に配置されていて軸受力を加圧片に伝達するばねよりも弱く形成されている。このような構成により、付加的な別のばねはストッパーの衝撃負荷を減少させ、ひいてはストッパーの耐用年数を高めている。
【００１２】
別の実施態様として若しくは追加的な手段として、請求項６に基づき、受圧部と弾性的に変形可能なプレートとの間に少なくとも１つのばね部材を設けてある。このばね部材は、受圧部を過度な負荷から保護している。弾性変形可能なプレートの変形が高い衝撃負荷に基づく過度に高い場合には、ばね部材がプレートの変形を部分的に吸収し、その結果、受圧部の破損のおそれは相応に減少されている。このような構成により、付加的に設けられた前記ストッパーを省略することも可能である。しかしながらストッパーは、センサー要素の付加的な安全手段として効果的である。
【００１３】
ばね部材は請求項７に基づき、ゴム質の構成部分によって形成されており、ゴム質の構成部分はプレートの変形を弾性的な内部応力の形で吸収するようになっている。有利にはゴム質の構成部分は、シリコンゴムから成っている。
【００１４】
請求項８に記載の有利な実施態様では、ばね部材は、薄いダイヤフラムによって形成されており、該ダイヤフラムは弾性変形可能なプレート及び受圧部と平面でもって結合され、つまり面結合されている。このような構成により、通常の作動状態ではばね部材は、弾性変形可能なプレートの変形を損失なしに受圧部に伝達するようになっている。極めて高い衝撃負荷の場合にのみ、薄いダイヤフラムの変形が行われ、該変形によって受圧部は破損から保護されるようになっている。
【００１５】
請求項９に記載の有利な実施態様では、受圧部はひずみゲージ（ストレインゲージ若しくは抵抗線ひずみゲージ）によって形成されている。このようなひずみゲージは、利点としてセンサー要素の小さな変形をも良好に評価可能な電気信号に変換するものである。ひずみゲージの欠点としての比較的高い温度依存性は、例えばホイーストンブリッジの構成によって簡単に補償されるようになっている。
【００１６】
圧力センサーを極端な障害、例えばウエブ切れ若しくはローラへのウエブの巻き付きに対して保護するために、請求項１０に記載の有利な実施態様では、圧力センサーに対応してリミットスイッチを配置（配設）してあり、つまり圧力センサーにリミットスイッチを対応配置してある。リミットスイッチは、軸受力が所定の値を超えた場合にレリーズされ、つまり作動して、有利にはウエブ駆動装置を停止させるようになっている。
【００１７】
簡単な構造を達成するために請求項１１に記載の有利な実施態様では、リミットスイッチは圧力センサーのストッパーの近傍に設けられている。このような構成により、リミットスイッチは、衝撃がストッパー自体を動かす若しくは変形させるほどに強い場合に確実に作動するようになっている。
【００１８】
圧力センサーの組み付けを容易にするために、請求項１２に記載の有利な実施態様では、圧力センサーに少なくとも１つの押圧ねじを対応配置してある。押圧ねじは、圧力センサーの取り付け若しくは交換に際してローラの軸受の支持用のプレートを持ち上げるために用いられ、圧力センサーを負荷軽減するようになっている。押圧ねじはローラの輸送時安全装置若しくは輸送時ロック装置（輸送時のローラと圧力センサーとの間の衝突若しくは接触を防止する装置）としても用いられるものである。
【００１９】
請求項１３に記載の有利な実施態様では、軸受力を加圧片へ伝達するために用いられるばねは、鐘形ケーシングに支えられている。鐘形ケーシングは圧力センサーの内部構成部分を受容していて、センサー要素への簡単な力伝達を保証している。鐘形ケーシングが圧力センサーの輸送時に、若しくは頭部（鐘形ケーシング）を下向きにして圧力センサーを組み込む際に外れて紛失されないようにするために、鐘形ケーシングとベース部材との間に止め部材（ロック部材）を設けてある。止め部材は有利にはねじ（ボルト）によって形成されており、ねじは鐘形ケーシングの周壁の孔を貫通していて、通常の作動状態では鐘形ケーシングと接触しないようになっている。
【００２０】
次に本発明を図示の実施例に基づき詳細に説明してあるものの、本発明は図示の実施例に限定されるものではない。
【図面の簡単な説明】
【００２１】
【図１】圧力センサーを備えたローラを示す図である。
【図２】図１の圧力センサーの拡大断面図である。
【００２２】
図１に示してあるように、走行するウエブ２は、ローラ１に沿って転向されるようになっている。ウエブ２の張力５及びローラ１を巻き掛ける巻き掛け角度に基づき、軸受４に作用して該軸受で支えられる軸受力３が生じている。ウエブ２の張力５の決定のために、ローラ１の既知の重量及びローラ１に沿った既知の巻き掛け角度において、軸受力３を測定すると十分である。
【００２３】
軸受力３の検出のために、ローラ１の軸受４は、支え部材６を介して旋回可能なプレート７に支持されている。プレート７は旋回軸受８を中心として旋回可能に保持されており、旋回軸受８は不動（定位置）のプレート９に支持されている。これによってローラ１は、旋回軸受８を中心として自由に旋回させられるようになっている。ローラ１の下に圧力センサー１０を設けてあり、該圧力センサーは軸受力３を検出して電気的な信号に変換するようになっている。
【００２４】
プレート７，９間にリミットスイッチ１１を設けてあり、該リミットスイッチはウエブ２用の駆動部（図示省略）に接続（作用結合）されている。リミットスイッチ１１が作動されると、エラー発生若しくは支障発生に対応するためにウエブ２の駆動部は遮断され、つまりリミットスイッチ１１は所定の作動に際して駆動部を停止させ、ひいてはウエブ２の走行を停止させるようになっている。リミットスイッチ１１は、図示の実施例とは異なり圧力センサー１０内に組み込まれていてもよいものである。
【００２５】
プレート７，９間にはさらに押圧ねじ１２を設けてあり、該押圧ねじ（押し離しボルト）によって両方のプレート７，９は互いに押し離されるようになっている。押圧ねじ１２によって圧力センサー１０は、該圧力センサーを容易に分解するため若しくは取り外し又は取り付けるために、完全に負荷軽減される。したがって、圧力センサー１０の保守作業若しくは整備作業は容易になっている。さらに押圧ねじ１２は搬送時の安全装置としても用いられ、かつローラ１を装置に組み込む際に圧力センサー１０を保護するためにも用いられている。
【００２６】
圧力センサー１０の構成を図２の断面図に示してある。圧力センサー１０はベース部材２０を有しており、該ベース部材（ベースエレメント）にフランジ２１を一体成形してある。フランジ２１は複数の孔２２を有しており、該孔はねじ２３によって貫通されるようになっている。ねじ２３は、不動（定位置）のプレート９への圧力センサー１０の取り付けのために用いられるものである。
【００２７】
ベース部材２０は、中央のほぼ円筒形の中空室２４を有しており、該中空室は上方に向かって段階的に拡大されている。中央の中空室２４内にはセンサー要素２５を差し込んである。ベース部材２０内でのセンサー要素２５の固定のために、リング２６を設けてあり、該リングは、センサー要素２５の段階的に細くされ、つまり減径された減径部（縮小部）２８に上方から被せ嵌められて、ねじ２７を用いてベース部材２０に固定され、これによってセンサー要素２５はベース部材２０に不動に結合されるようになっている。
【００２８】
軸受力３をセンサー要素２５内に導入するために、圧力片２９を設けてあり、該圧力片は上方からセンサー要素２５の突起部３０を加圧するようになっている。圧力片２９は、センサー要素２５を保護している鐘形ケーシング３１内に支えられていて、ばね３２によってセンサー要素２５に向けて初期荷重を掛けられ、つまり所定の押圧力で締め付けられている。鐘形ケーシング３１は、ベース部材２０に対して相対的に移動可能に保持されている。鐘形ケーシング３１は上方の端部３３に硬化された突起部３４を有しており、該突起部は旋回可能なプレート７に向けて押圧されている。このような構成により軸受力３は、鐘形ケーシング３１、ばね３２及び加圧片２９を介してセンサー要素２５内に導入されるようになっている。
【００２９】
センサー要素２５を過負荷（超過荷重）から保護するために、加圧片２９はストッパー３５と協働するようになっており、つまりストッパー３５に支持されるようになっており、該ストッパーは複数のリング３６によって形成されている。各リング３６は互いに異なる厚さを有していて、これにより互いに異なる厚さの複数のリングを組み合わせて用いることに基づき必要なストッパー高さを達成できるようになっている。ストッパー３６は、鐘形ケーシング３１の構成部分に属するリング３７に対して作用するようになっており、つまり該リングを介して前記加圧片を支持するようになっており、該リングは、上側を階段状に切り欠いて形成され、換言すれば下側を段階的に拡大して形成されている。段階的に拡大されてなる拡大部（付加部）３８は、加圧片２９に対する別のストッパーを形成しており、該ストッパーはセンサー要素３５の過度な圧力ピークを防止するようになっている。ストッパー３５の周囲に付加的な１つの波形ばね３９を設けてあり、該波形ばねは、ストッパー３５に対する強い衝突若しくは衝撃を減衰しようとするものである。この場合に波形ばね３９は、ばね３２よりも著しく弱く形成されている。
【００３０】
センサー要素２５内には弾性的に変形可能なプレート４０を設けてあり、該プレートは加圧片２９の作用によって弾性的な曲げ変形を受けるようになっている。つまり軸受力３は、プレート４０の変形に変換される。プレート４０の下面には、ひずみゲージ（ストレインゲージ）として形成された受圧部４２を設けてあり、該受圧部はプレート４０の弾性的な変形を電気信号、殊に抵抗変化量に変換するようになっている。この場合に４つの受圧部４２を設けてあり、該受圧部は互いに接続されて１つのホイーストンブリッジを形成している。受圧部４２は、プレート４０の過度なたわみの際の受圧部４２の破損を避けるために、ゴム弾性のダイヤフラム４３を介してプレート４０と面結合され、つまり互いに平面同士で結合されている。別の実施例では受圧部４２は弾性変形可能なプレート４０に直接に固着されていてよい。
【００３１】
通常の運転状態では旋回可能なプレート７は、鐘形ケーシング３１上に載っている。作用している軸受力３は、ばね３２から加圧片２９に伝達され、ひいては該加圧片がセンサー要素２５を押圧する。この場合にばね３２は加圧片２９をリング３７に向けて締め付けており、これにより加圧片２９は鐘形ケーシング３１と一緒にユニットを形成している。リング３７とストッパー３５との間には間隙４４を設けてある。このような構成により、軸受力３は誤りなく正確にセンサー要素２５によって検出されるようになっている。
【００３２】
例えば衝撃若しくは衝突に基づき軸受力３の高い力ピーク（負荷ピーク若しくは荷重ピーク）が生じた場合には、ばね３２は圧縮され、その結果、鐘形ケーシング３１はリング３７と一緒に下方へ移動し、該移動運動に加圧片２９は追従することはない。この場合に、加圧片２９とリング３７の階段状の拡大部３８との間には隙間が生じることになる。これにより加圧片２９は、衝撃緩衝器の作用と同じように、前記負荷ピークの際のピーク負荷を遅らせてセンサー要素２５に与えることになる。ピーク負荷は量的には小さく、これに対してばね３２のエネルギー蓄積作用によって衝突時間は相応に増大されている。したがって、測定される軸受力の平均値は一様であり、衝突による有害な作用は相応に減少されている。エネルギー量の極めて多い力（極めて高い衝撃力若しくは衝突力）が鐘形ケーシング３１に作用した場合には、リング３７は間隙４４を経てストッパー３５に当接し、つまりストッパー３５に受け止められ、つまり間隙４４は消滅させられている。これによって、軸受力３は部分的にリング３７及びストッパー３５を介して、つまりセンサー要素２５を迂回してベース部材２０に導かれ、つまり伝達されるようになっている。このようにして、センサー要素２５は強い過負荷から保護されるようになっている。
【００３３】
鐘形ケーシング３１とベース部材２０との間にはさらに、ねじ（ボルト）によって形成された止め部材４５を設けてある。止め部材４５は、鐘形ケーシング３１を貫通していて、該鐘形ケーシングとは実質的に接触しないようになっている。これによって止め部材４５は、圧力センサー１０を逆さまに向けた場合、つまり鐘形ケーシング３１を下に向けた際の鐘形ケーシング３１の抜け出し、ひいては紛失を防止するようになっている。さらに止め部材４５は圧力センサー１０の組立を容易にしている。
【符号の説明】
【００３４】
１  ローラ、  ２  ウエブ、  ３  軸受力、  ４  軸受、  ５  張力、  ６  支え部材、  ７  プレート、  ８  旋回軸受、  ９  プレート、  １０  圧力センサー、  １１  リミットスイッチ、  １２  押圧ねじ、  ２０  ベース部材、  ２１  フランジ、  ２２  孔、  ２３  ねじ、  ２４  中空室、  ２５  センサー要素、  ２６  リング、  ２７  ねじ、  ２８  減径部、  ２９  圧力片、  ３０  突起部、  ３１  鐘形ケーシング、  ３２  ばね、  ３３  端部、  ３４  突起部、  ３５  ストッパー、  ３６，３７  リング、  ３８  拡大部、  ３９  波形ばね、  ４０  プレート、  ４１  下面、  ４２  受圧部、  ４３  ダイヤフラム、  ４４  間隙、  ４５  止め部材
【図１】
2010511854.tif 000003
【図２】
2010511854.tif 000004
【国際調査報告】
2010511854.tif 000005
2010511854.tif 000006
2010511854.tif 000007
2010511854.tif 000008
2010511854.tif 000009
2010511854.tif 000010